(57)【要約】揮発性物質を散布する二段階マットが開示される。前記マットは、厚み、熱伝導性、及び／又は多孔率（及び同様の揮発性物質による被覆が異なる２つの材料）、又は異なる蒸気圧を有する揮発性物質で被覆された異なる二つの材料を含む。いずれの構成においてもマットは、揮発性物質の瞬間的な気化及び、そののち揮発性物質の持続的気化の双方を提供する。このようなマットを用いる方法も開示される。
2004507512.tif 000002
【特許請求の範囲】
【請求項１】
加熱によって揮発性蒸気を放出するマットであって、
昆虫抑制剤、芳香剤、防臭剤、及びそれらの組み合わせから成る群から選択される有効成分を含む第一の揮発性物質を有する第一のマット基体領域と、
昆虫抑制剤、芳香剤、防臭剤、及びそれらの組み合わせから成る群から選択される有効成分を有する第二の揮発性物質を有し、前記第一の基体領域と一体化していない第二のマット基体領域とを含み、
前記第一のマット基体領域の前記第一の揮発性物質が前記第二のマットの基体領域の前記第二の揮発性物質よりも速い有効速度で放出される、
前記揮発性蒸気を放出するマット。
【請求項２】
前記第一のマット基体領域の前記第一の揮発性物質が、前記第二のマット基体領域の前記第二の揮発性物質よりも高い揮発性を有する、請求項１に記載のマット。
【請求項３】
前記第一のマット基体領域の前記第一の揮発性物質が、前記第二の基体領域の前記第二の揮発性物質よりも迅速に気化するように、前記第一及び第二のマット基体領域の物理的又は化学的特性が選択される、請求項１に記載のマット。
【請求項４】
前記第一の領域が中央領域であって、前記第二の領域が前記中央領域の周囲の外側の領域である、請求項１に記載のマット。
【請求項５】
前記第一の揮発性物質が前記第二の揮発性物質と異なる、請求項５に記載のマット。
【請求項６】
前記第一及び第二の領域が、厚み、熱伝導性、多孔率及びそれらの組み合わせから成る群から選択された材料特性に関して異なる物質からなる、請求項１に記載のマット。
【請求項７】
前記第一の領域がセルロース材料から形成され、前記第二の領域が金属材料から形成される、請求項６に記載のマット。
【請求項８】
前記第二の領域は、貫通する孔部を有する平板の形状を有し、前記第一の領域が前記孔部に配置された金属箔のカップによって画定される、請求項７に記載のマット。
【請求項９】
前記第二の領域が、上側に凹部を有するセラミックの平板であって、前記第一の領域が前記凹部をライニングするセラミック釉薬によって画定される、請求項１に記載のマット。
【請求項１０】
前記第二の領域がセルロース材料のフレームであって、前記第一の領域が凹んだ中央部を有する金属トレーである、請求項１に記載のマット。
【請求項１１】
前記第一の揮発性物質が前記第二の揮発性物質とは異なるマットからの気化速度を有する、請求項１に記載のマット。
【請求項１２】
前記第一の揮発性物質中の前記有効成分がトランスフルスリンであって、前記第二の揮発性物質中の前記有効成分がピナミン・フォルテである、請求項１に記載のマット。
【請求項１３】
加熱によって揮発性蒸気を放出するマットであって、
昆虫抑制剤、芳香剤、防臭剤、及びそれらの組み合わせから成る群から選択される有効成分を含む第一の揮発性物質を有する第一のマット基体領域と、
昆虫抑制剤、芳香剤、防臭剤、及びそれらの組み合わせから成る群から選択される有効成分を含む第二の揮発性物質を有する第二のマット基体領域とを含み、
前記第一及び第二の領域が、厚み、熱伝導性、多孔率、及びそれらの組み合わせから成る群から選択される材料特性に関して異なる物質からなる、
前記マット。
【請求項１４】
前記第一の揮発性物質中の前記有効成分が前記第二の揮発性物質中の前記有効成分とは異なる、請求項１３のマット。
【請求項１５】
前記第一の領域がセルロース材料から形成され、前記第二の領域は金属材料から形成される、請求項１３のマット。
【請求項１６】
前記第二の領域は、貫通する孔部を備える平板の形状であって、前記第一の領域が、前記孔部内に配置された金属箔カップによって画定される、請求項１３のマット。
【請求項１７】
前記第二の領域が上側に凹部を有するセラミックの平板であって、前記第一の領域が前記凹部をライニングするセラミック釉薬によって画定される、請求項１３のマット。
【請求項１８】
前記第二の領域はセルロース材料のフレームであって、前記第一の領域は凹んだ中央部を有する金属トレーである、請求項１３のマット。
【請求項１９】
前記第一の揮発性物質が、前記第二の揮発性物質と異なるマットからの気化速度を有する、請求項１３のマット。
【請求項２０】
前記第一の揮発性物質中の前記有効成分がトランスフルスリンであって、前記第二の揮発性物質中の前記有効成分がピナミン・フォルテである、請求項１３のマット。
【請求項２１】
揮発性蒸気を散布する方法であって、
（ａ）マットをヒータ上に配置し、前記マットは、
（ｉ）昆虫抑制剤、芳香剤、防臭剤、及びそれらの組み合わせから成る群から選択される有効成分を含む第一の揮発性物質を有する第一のマット基体領域と、
（ｉｉ）昆虫制御抑制剤、芳香剤、防臭剤、及びそれらの組み合わせから成る群から選択される有効成分を含む第二の揮発性物質を有する第二のマット基体領域と、を含み、
（ｂ）前記第一の揮発性物質中の前記有効成分が、前記第二の気化可能物質中の前記有効成分が第二の基体領域から気化するよりも高い有効速度で、前記第一の基体領域から気化するように、前記第一及び第二のマット基体領域の両方を同時に加熱すること、
を含む、前記方法。
【発明の詳細な説明】
【０００１】
【発明の属する技術分野】
本発明は、殺虫剤、昆虫忌避剤、芳香剤及び防臭剤のような揮発性物質の散布に関し、電気ヒータ上に置かれて加熱された際に揮発性物質を放出するように設計されたマットを提供する。
【０００２】
【従来の技術】
中実の多孔を有するセルロース製マットを揮発性物質によって含浸又は被覆する方法及び／又は金属製の皿状マット構造体に揮発性物質を置くことは、当該技術では公知である。次に、これらのマットをヒータの上において、揮発性物質を大気中へ気化させる。概括的には、米国特許６，０３１，９６７号及びＷＯ９９／６６７９１号を参照。これらの公報の開示内容、及び本明細書中に示すあらゆる刊行物は、その全内容を参照によって本明細書中に援用するものとする。
【０００３】
しかしながら、マットの加熱開始と、室内における有効成分の濃度が所望のレベルに達するまでには、時間差がある。例えば、マットが殺虫剤を含有するとき、蚊又は他の昆虫からの防御が所望されるレベルに達するまで数分かかるかもしれない。これは、製品が、活性成分を非常にゆっくりと、持続的に放出する（例えば、蚊に対して夜通し続く防虫効果を提供する）ように設計されている場合は、特に問題となる。
【０００４】
この時間差を最小にするため、マット上の活性成分の濃度を上昇させようとする試みもあった。しかし、そのような活性成分はしばしばコストがかかりすぎ、またいずれにせよ濃度を上昇させると、初期時間の経過後、大気中に散布される殺虫剤又は他の活性成分が、不必要なほど高レベルになってしまうこともある。
【０００５】
この問題に対するもう一つの解決策としては、初期段階ではある熱において作動し、そのあとずっと弱い熱において作動するようにヒータを改造する方法がある。しかしながら、既存のヒータを改修するためには多額のコストが必要となり、いずれにしろ、ヒータのコストを将来に渡って不必要に増加させることになる。
【０００６】
米国特許５，６５７，５７４号は、全体にわたって昆虫抑制物質の均一な濃度を有するが、拡大された着火端部を有するコイルを持つ蚊取り線香を提案している。コイルが最初に点火されると余分の殺虫剤が一気に散布されるのは、コイルの大半がその時点で燃焼するためである。しかしこの解決策は、マット全体がヒータの上に同時に載置される場合には適切ではない。
【０００７】
ＷＯ９９／６６７９１号は、ヒータへ段階的に挿入するための平板型マットシステムを提供した。マットの個々の領域は順次加熱される。平板の主たる目的は、前の部分が使い尽くされると新しいマットの部分をヒータ上に動かす機構を提供することである。しかし、公報にはさらに、連続領域が異なった種類の揮発性成分、又は異なる濃度の同一揮発性成分を担持することも可能であると記載されている。挙げられた一例では、夜間に使用される高濃度部分及び日中に使用される低濃度部分が与えられている。しかし不都合なことにこの例では、次の使用段階が必要なときに、使用者が平板を順次移動させる必要がある。
【０００８】
問題をさらに複雑にしているのは、この目的に用いられる経済的なヒータのほとんどが温まるまでに若干の時間を要し、またその多くがその表面に沿った十分に均一な熱を呈示しないという事実である。例を挙げれば、中心に高熱領域を有して、外側へ向かって漸進的に冷えていくものが多い。過去においては、このことが、過熱した中央部への曝露によって若干殺虫剤を劣化させる原因となっていた。
【０００９】
【発明が解決しようとする課題】
したがって、改善された揮発性物質散布マットの必要性が存在する。
【００１０】
【課題を解決するための手段】
本発明は、加熱によって揮発性蒸気を放出するマットを提供する。ある一つの態様においては、昆虫抑制剤、芳香剤、防臭剤、及びそれらの組み合わせの群から選択される第一の揮発性物質を有する第一のマット基体領域がある。さらに昆虫抑制剤、芳香剤、防臭剤、及びそれらの組み合わせの群から選択される第二の揮発性物質を有する第二のマット基体領域が存在する。第一の揮発性物質対第二の揮発性物質間の揮発性の高低、又は第一及び第二のマット基体領域の間の選択された相違点のいずれかのために、第一のマット基体領域の第一の揮発性物質は、第二のマット基体領域の第二の揮発性物質よりも高い有効速度で放出される。好ましくは、第一の領域は中央領域であって、第二の領域はこの中央領域の周囲の外側領域であり、第一の揮発性物質は第二の揮発性物質とは異なっている。揮発性物質は、揮発性物質を構成する又はそこに含まれる有効成分の意図された効果がより速い又はより遅い速度で達成されるような、より高い又はより低い有効速度での放出として定義される。
【００１１】
ここで用語「マット」は、材料、厳密な外形、テクスチャ及び、スルーホール、組みこまれた金属製の受皿などの他の物理的な特徴と関係なく、従来の蚊取りマットホルダとともに使用するのに適した全体的に平坦で薄く延びる構造を含むものとして用いられている。典型的な市販の蚊取りマットは、通常は繊維性の材料から成る全体としてほぼ長方形のカードであるが、上記の用語「マット」はこのような特定の形状又は材料に限定されるものではない。用語「昆虫抑制」は、昆虫の殺傷、抑制、又はその他の、昆虫の行動又は生育を変化させることを意味するものとして定義される。ここでは「昆虫抑制剤」は広義の意味においては、殺虫剤及び忌避剤のみならず、昆虫抑制を達成することができる成長調節剤又は他の薬剤も含むものとして用いられている。「昆虫」は、真正の昆虫類並びに、昆虫を抑制するのと同様の方法又は薬剤で同じように抑制されうるクモ、ムカデ、及び他の小動物を意味すると定義される。
【００１２】
好ましくはセルロース製である周囲の基体よりも迅速に熱を伝導する、第一の好ましくは中央領域は金属製の基体、又は他の基体から作られていてもよい。この結果、揮発性物質が同一であっても異なる気化速度が得られる。
【００１３】
代替的には（あるいは付加的に）、適切な溶剤、バインダ、有効成分、及び有効成分の濃度を選択することによって放出速度を低下させたり上昇させたりすることができる。第一の領域には、トランスフルスリン又はイートック（登録商標）、ＥＢＴ、ピナミン・フォルテ、Ｓ−ビオアレスリン及びＤＤＶＰのような高い揮発性有効成分を用いるのが好ましく、かつ、第一の領域に揮発性物質を非常に迅速に放出する、金属製の薄い非多孔性の基体を選択することが好ましい。第二の領域の揮発性物質中の有効成分としてはトランスフルスリン、第一の領域の揮発性物質中の有効成分としてはピナミン・フォルテが特に好適である。
【００１４】
特に好ましい態様においては、第一及び第二の領域は、厚み、熱伝導性、多孔率及びそれらの組み合わせの群から選択される材料特性について、異なる材料からなる。この場合に、第二の領域は、好ましくは貫通する孔部を有する平板の形状であって、第一の領域は、好ましくは孔部に配置される金属箔カップによって画定される。好ましくは孔部とカップは平板の中央に位置するが、「中央に位置する」とは、ほぼ中央に位置するか、少なくとも平板材料が孔部を完全に取り囲むように位置するよう構成されることを意味すると解すべきである。
【００１５】
代替的には、第二の領域は、上側に凹部を有するセラミック平板であってもよく、第一の領域は凹部をライニングするセラミック釉薬によって画定される。
【００１６】
さらに他の代替例においては、第二の領域は、セルロース材料のフレームであってよく、第一の領域は、凹んだ中央部を有する金属のトレーであって、その中央部は、好ましくは、少なくともフレームの底部表面まで延びるか、あるいは更にフレームを実際に支持する所まで延びていてもよい。
【００１７】
また別の態様において、本発明は、加熱により揮発性蒸気を放出するマットを提供する。同様に、第一及び第二のマット基体領域を有し、各領域は昆虫抑制剤、芳香剤、防臭剤及びそれらの組み合わせから成る群から選択される有効成分を有する揮発性物質を有する。互いの相対的な位置と関係なく（例えば、並列、又は中央部と周囲のドーナツ状部分）第一及び第二の領域は、厚み、熱伝導性、多孔率、及びそれらの組み合わせから成る群から選択される材料特性について異なる材料からなる。
【００１８】
さらの他の態様においては、本発明は、揮発性蒸気を散布する方法を提供する。マットは、電気ヒータ上に載置される。マットは、第一及び第二の揮発性物質を各々有する第一及び第二のマット基体領域を備え、各揮発性物質は、昆虫抑制剤、芳香剤、防臭剤及びそれらの組み合わせから成る群から選択される有効成分を含む。次に、第二の領域から第二の揮発性物質中の有効成分が気化するよりも、第一の揮発性物質中の有効成分が第一の領域から高い有効速度で気化するように、第一及び第二のマット基体領域が同時に加熱される。
【００１９】
本発明の装置は、昆虫抑制装置として用いられた場合、使用者が長期間の防虫を犠牲にすることなく、所望の防虫を非常に迅速に達成することを可能にする。防臭剤又は芳香剤を散布する際には、本発明は、長期間にわたる芳香供給能力を犠牲にすることなく、存在する悪臭を非常に迅速に覆い隠す（例えばトイレにおいて）有利な点を有する。
【００２０】
重要かつ驚くべきことに、本発明は、安価なヒータの不利な点（加熱表面の不均一な加熱）を利点へ変えることができる。これは、放出が迅速な部分を中央に置くことによって達成される。
【００２１】
これらと本発明のさらに他の有利な点は後述によって明らかとなるであろう。説明において、本発明の好ましい実施形態を図示した添付の図面を参照する。しかしながら、本発明の完全な範囲を判断するためには特許の請求の範囲を特に留意すべきである。
【００２２】
【実施の形態】
まず図１を参照すると、電気ヒータ１４の水平バーナ表面１２上に載置された二段階マット１０が示される。用語「バーナ表面」は、電気ヒータ（典型的には中実だが代替的にはメッシュ又は他の構造を有する）の加熱された表面を指し、その上に使用者が加熱のために蚊取りマットを乗せるように意図される。ヒータ１４は、イタリア及び他の国でＳ．Ｃ．ジョンソン・アンド・サンによってＲＡＩＤ（商標登録）ヒータとして市販されているような電気抵抗ヒータであってもよい。しかし他のヒータも、加熱表面の水平、垂直、又は他の向きに制限無く用いることができる。
【００２３】
マットの第一の好ましい実施の形態は、図２（Ａ）及び２（Ｂ）に示される。マットの他の実施の形態も示されているが、それらはすべて全体として二つの非一体型の基体部分を含む。それぞれ同一又は異なった揮発性物質によって含浸、又は被覆される。基体は、厚み、熱伝導性及び／又は多孔率のような、明確に別の揮発性物質放出パラメータを有するのが好ましい。揮発性物質又は組成物は、明確に異なる気化速度を有してもよい。
【００２４】
マット１０の第一の実施の形態は、貫通するほぼ円筒形の孔部１８を有する平板様の本体１６を含む。孔部１８は、孔部１８の内径部に、好ましくは接着剤によって本体１６に接着されたカップ形インサート２０によってライニングされる。
【００２５】
本体１６及びインサート２０は、揮発性物質又は調合薬剤によって各々含浸され、被覆される。ヒータ１２上に載置されると、マット１０から揮発性物質が放出される（マット１０が加熱された際）。低コストヒータを用いた場合に、一般にバーナ表面の中央がより高温になることが起こりがちであるという点を利用して、孔部１８を本体１６の略中央に配置することが有利である。
【００２６】
本体１６は、好ましくは略３．５ｃｍ×１．７５ｃｍ×０．２５ｃｍの平板に形成されたパルプ又は他のセルロースベースの材料である。インサート２０は、好ましくは、アルミニウム合金ホイルのような、略０．５ｍｍの厚みを有する金属箔である。インサート２０は接着剤「７１１」（ウィスコンシン州ニュー・ベルリンのマニュファクチャラー・リソーセス社によって市販されている）のようなポリマー接着剤によって、孔部１８の内径に接着される。
【００２７】
好ましくは、本体１６は、比較的遅く放出される有効成分を含む第二の揮発性物質２２によって含浸され、インサート２０の内側は、比較的速く放出される有効成分を含む化学的に別の第一の揮発性物質２４によって被覆される。昆虫抑制装置として、好ましくは、第二の揮発性物質２２は、ピナミン・フォルテ（登録商標）４０％（殺虫有効成分）、ピペロニルブトキサイド４０％（ＰＢＯ、共働剤／放出剤）及びイソパールＭ（溶剤）２０％の化学組成を有する液体溶液１００ｍｇである。第一の揮発性物質２４は、好ましくは、トランスフルスリン（殺虫有効成分）４％及びイソパールＥ（溶剤）９６％の化学組成を有する液体溶液５０ｍｇである。トランスフルスリンは高い蒸気圧（ｖａｐｏｒｉｚａｔｉｏｎ ｐｒｅｓｓｕｒｅ）を有するために、ピナミン・フォルテよりもさらに速く気化する。
【００２８】
インサート２０が、本体１６に対して著しく厚み及び多孔率が小さい（従って熱伝導率が高い）ことにも留意されたい。さらに、インサート２０は、本体１６が含浸されている揮発性物質よりも速く放出される揮発性物質２４によって被覆される。上記のように選択された材料を用いる好ましい本構成においては、マット１０が加熱されると、ヒータ１６を始動させるとすぐに第一の揮発性物質２４が放出される。これにより、少なくとも６〜８時間、１日又はそれ以上も続く長期の防虫のために、第二の揮発性物質２２が均一かつ効果的に持続して放出されるようになる。
【００２９】
二段階の気化を行うことができる他の材料を選択することもできることを留意すべきである。例えば、本体１６は、焼結ガラス、ポリマーブロック、プラスチックビーズ、天然又は合成織布、及び他の吸収体又は吸収材料のような、他の中実で多孔性の材料から成っていてもよい。インサート２０は、他のどのような適切な金属箔（又は他の基体）であってもよく、インサート２０を本体１６に接合するのに用いる接着剤は、他のどのようなアクリル系、ウレタン系、又は他の高温耐性接着剤であってもよい。
【００３０】
あるいは、揮発性物質２２及び２４は他のどのような、適切な公知の殺虫剤、忌避剤、成長抑制剤、又は他の昆虫抑制剤でもよい。例えば、揮発性物質２２及び２４には、有機リン殺虫剤、脂質アミド（ｌｉｐｉｄａｍｉｄｅ）殺虫剤、シトロネラ油のような天然忌避剤、天然ピレスラム及びピレスラム抽出物、及び合成ピレスリンが含まれてもよい。適切な合成ピレスロイドは、Ｄ−アレスリンのようなアレスリン、ピナミン、ベンフルトリン、ビフェンスリン、Ｓ−ビオアレスリン、エスビオスリン（ｅｓｂｉｏｔｈｒｉｎ）、エスビオール、ビオレスメトリン、シクロプロスリン、シフルトリン、ベータ−シフルトリン、シハロトリン、デルタメトリン、エンペントリン、エスフェンバレレート、フェンプロパスリン、フェンバレレート、フルシトリネート、タウ−フルバリネート、カデスリン、ペルメスリン、フェノスリン、Ｅｔｏｃ（商標登録）のようなプラレスリン、レスメスリン、テフルスリン、テトラメスリン又はトラロメスリンを含む。米国特許４，４３９，４１５号に記載された他の揮発性殺虫剤も使用することができる。
【００３１】
メソプレン及びハイドロプロン（ｈｙｄｒｏｐｒｏｎｅ）のような揮発性昆虫成長抑制剤を用いてもよい。代替として、又は付加的に、リモネン、ユーカリプタス、およびシトロネラのような芳香剤及び防臭剤を用いてもよい。
【００３２】
我々は図２（Ａ）のマットをテストした。四つのテストマット（特定の寿命を有する）編成が用意され、一つは標準的な単一段階のパルプ本体マットであり、他の三つは本発明の図２（Ａ）の二段階マットパルプ本体マットであって、上に説明したように構成されている。三つのうちの一つは、中央部にのみ有効成分を有し、一つは周辺基体にのみ有効成分を有し、一つはその両方に有効成分を有する。
【００３３】
テストの条件及び各マットに用いられた揮発性物質は以下の通りである。
【表１】
2004507512.tif 000003
【００３４】
調査は、雌のｃｕｒｅｘ　ｑｕｉｎｑｕｅｆａｓｃｉａｔｕｓ（蚊）１０個体を用いて、０．４２ｍ３のガラスチャンバ内で行われた。マット、ヒータ及び蚊は、すべて同時にガラスチャンバ内に入れられた。
【００３５】
蚊の平均落下パーセントのデータは、３０秒毎の間隔で収集された。落下データは、１００％の落下が達成されるまで、又は２０分の期間が終わるまで、３０秒間隔で収集された。
【００３６】
蚊の落下は、標準的な単一段階マット（ＭＡＴ１）よりも本発明の二段階マット（ＭＡＴ３）を用いたほうがずっと早く始まることが調査によって示された。１００％の落下率を達成するために必要な時間に関してもそれは同様だった。
【００３７】
図３から図７には本発明の別の実施の形態が図示され、Ａ、Ｂ、Ｃ、Ｄ、又はＥという接尾記号を用いてはいるが、類似した構成要素は類似の参照番号を用いて示されている。他に示さないかぎり、これらの別の実施の形態で、第一の実施の形態について上に記載したものと同一の材料及び揮発性物質を用いるのが好ましい。さらに、これらの別の実施の形態は、第一の実施の形態と同じ方法で使用され、ヒータによって十分に加熱されると揮発性物質が複数の気化速度を提供する。
【００３８】
次に図３を参照すると、マット１０Ａは、中央に貫通孔１８Ａを有するセルロース製の本体１６Ａを含む。金属箔層３０Ａは、本体１６Ａ全体の底側に接着されて、本体１６Ａの底側に沿ってさらに均一に熱を分配する。薄いパルプインサート２０Ａは、好ましくは濾紙製であって、パルプ本体１６Ａに直接接触しないように貫通孔１８Ａ内部の金属箔層３０Ａの上側に接着される。パルプ本体１６Ａは、放出の遅い揮発性物質２２Ａで含浸され、インサート２０Ａは、放出の早い揮発性物質２４Ａで含浸される。この分離によって、貯蔵期間中に各揮発性物質が互いの領域へ浸出することを最小化する。
【００３９】
図４に示された実施の形態では、マット１０Ｂは、同一の材料及び厚みのプラグインサート２０Ｂが配置された中央貫通孔１８Ｂを有するパルプ製本体１６Ｂを含む。好ましくは、プラグインサート２０Ｂは、貫通孔１８Ｂが作られるときに本体１６Ｂから取り除かれた材料である。このマット１０Ｂは、本体１６Ｂ及びプラグインサート２０Ｂの底側に接着された金属箔層３０Ｂをも含む。前記と同じく、本体１６Ｂは、放出の遅い揮発性物質２２Ｂによって含浸され、プラグインサート２０Ｂは、放出の速い揮発性物質２４Ｂによって含浸される。この実施の形態においては、プラグインサート２０Ｂは、揮発性物質２４Ｂによって処理し、揮発性物質２４Ｂが本体１６に浸出しないように、組み合わせる前に乾燥させなければならない。同様に、揮発性物質２２Ｂは、本体１６Ｂ中に含浸され、プラグが挿入される前に乾燥されなければならない。
【００４０】
次の図５（Ａ）及び５（Ｂ）を参照すると、マット１０Ｃは、前記実施の形態の略半分の長さのパルプ製本体１６Ｃを含む。本体１６Ｃはその底側において金属箔層３０Ｃの全長にわたって接着され、この金属箔層に対しては薄いパルプ材ストリップ２０Ｃも接着される。このストリップ２０Ｃは、本体１６Ｃのパルプよりも多孔度が低い濾紙製であるのが好ましい。ストリップ２０Ｃは、本体１６Ｃに接触しないように金属箔３０Ｃに接着される。本体１６Ｃは、放出の遅い揮発性物質２２Ｃによって含浸され、ストリップ２０Ｃは、放出の速い揮発性物質２４Ｃによって含浸される。マット１０Ａ（図３を参照）と同様に、ストリップ２０Ｃの小さい厚みと低い多孔度はさらに、放出の速い揮発性物質２４Ｃの迅速な気化を助ける。
【００４１】
次に図６を参照すると、マット１０Ｄは、素焼き又は土器のようなセラミック材料から成る平板状の本体１６Ｄを含む。本体１６Ｄは、シリカベースの低焼透明釉薬のような適切なセラミック釉薬によってライニングされた中央に皿状の凹部１８Ｄを有する。セラミック釉薬ライナ２０Ｄは、好ましくは、本体１６Ｄのセラミックよりも多孔度が低い。この特徴及び釉薬の下の厚みが小さいことによって、ライナ２０Ｄを被覆する放出の速い揮発性物質２４Ｄのさらに迅速な蒸発が可能になる。前記と同様に、本体１６Ｄは、放出が遅い揮発性物質２２Ｄによって含浸される。
【００４２】
次に図７（Ａ）及び図７（Ｂ）を参照すると、マット１０Ｅは、平板状の本体を有するのではなくパルプフレーム１６Ｅを有し、これは、凹んだ中央部を有する金属箔トレー２０Ｅの高くなった周縁リム部３２の上に載置される。フレーム１６Ｅは、放出の遅い揮発性物質２２Ｅによって含浸され、トレー２０Ｅは放出の速い揮発性物質２４Ｅによって被覆される。
【００４３】
本発明のマットは他の実施の形態においても作ることができることを理解するべきである。これらもまた本発明の範囲内に含まれることを意図している。例えば、二つ以上の基体が、厚み、熱伝導率及び多孔率のような揮発性物質の異なる放出特性を有するようにして、単一の揮発性物質を用いて二段階気化を与えるようにしてもよい。
【００４４】
さらに、本発明の二段階マットは、殺菌／芳香／防臭効果を与えるものであってよく、その目的のための広範囲の有効成分のいずれを用いることもでき、これらには当該技術で公知のグリコール類、トリメチレン及びジプロピレンを含む。さらに、同一の有効成分及び基体を用いた場合でも、溶剤、バインダ等が放出速度を適切に制御するために調整されていれば、図４に類似した構造も機能する。従って、発明の完全な範囲を決定するために請求の範囲を参照するべきである。
【００４５】
【発明の効果】
本発明は、昆虫抑制剤、芳香剤、殺菌剤及び同様の有用性を持つ揮発性物質の制御された放出を行うためのマットを提供し、製品が最初に使用された際には揮発性物質の瞬間的な放出が生じ、そのあとに同一の、又は他の揮発性物質の、持続的放出が行われる。
【図面の簡単な説明】
【図１】
電気ヒータとともに用いられる本発明の二段階マットの斜視図である。
【図２Ａ】
本発明の二段階マットの第一の実施の形態の上面図である。
【図２Ｂ】
図２（Ａ）の線２−２に沿った断面図である。
【図３】
本発明の第二の実施の形態の垂直断面図である。
【図４】
本発明の第三の実施の形態の垂直断面図である。
【図５Ａ】
本発明の第四の実施の形態の上面図である。
【図５Ｂ】
図５（Ａ）の線５−５に沿った断面図である。
【図６】
本発明の第五の実施の形態の垂直断面図である。
【図７Ａ】
本発明の第六の実施の形態の上面図である。
【図７Ｂ】
図７（Ａ）の線７−７に沿った垂直断面図である。
【国際公開パンフレット】
2004507512.tif 000004
2004507512.tif 000005
2004507512.tif 000006
2004507512.tif 000007
2004507512.tif 000008
2004507512.tif 000009
2004507512.tif 000010
2004507512.tif 000011
2004507512.tif 000012
2004507512.tif 000013
2004507512.tif 000014
2004507512.tif 000015
2004507512.tif 000016
2004507512.tif 000017
2004507512.tif 000018
2004507512.tif 000019
2004507512.tif 000020
【国際公開パンフレット（コレクトバージョン）】
2004507512.tif 000021
【手続補正書】
【提出日】平成14年4月22日(2002.4.22)
【手続補正１】
【補正対象書類名】明細書
【補正対象項目名】０００７
【補正方法】変更
【補正の内容】
【０００７】
ＷＯ９９／６６７９１号は、ヒータへ段階的に挿入するための平板型マットシステムを提供した。マットの個々の領域は順次加熱される。平板の主たる目的は、前の部分が使い尽くされると新しいマットの部分をヒータ上に動かす機構を提供することである。しかし、公報にはさらに、連続領域が異なった種類の揮発性成分、又は異なる濃度の同一揮発性成分を担持することも可能であると記載されている。挙げられた一例では、夜間に使用される高濃度部分及び日中に使用される低濃度部分が与えられている。しかし不都合なことにこの例では、次の使用段階が必要なときに、使用者が平板を順次移動させる必要がある。
他の類似した研究では米国特許Ａ−６，０７４，６５６号によって説明されているように、マットをヒータよりも大きい面積にして、特定の特性を有する殺虫化合物を用いる。マットが最初に加熱されると、マットの加熱された部分から殺虫剤の蒸散が起きる。熱が切られると、特定の殺虫剤の成分がマットの非加熱部分から移動する。このような構成は、殺虫化合物の特性に大きく依存するものである。
米国特許Ａ−４，４３９，４１５号においては、殺虫剤を含む異なるいくつかの並置された固体組成物がそれぞれ１つのマットに吸収される。このマットは、気化される有効物質の量を各々個別に調節するために、存在する有効物質に関する複数の温度まで加熱することができる。




【手続補正書】
【提出日】平成14年9月19日(2002.9.19)
【手続補正１】
【補正対象書類名】明細書
【補正対象項目名】特許請求の範囲
【補正方法】変更
【補正の内容】
【特許請求の範囲】
【請求項１】
加熱によって揮発性蒸気を放出するマット１０であって、
昆虫抑制剤、芳香剤、防臭剤、及びそれらの組み合わせから成る群から選択される有効成分を含む第一の揮発性物質２４を有する第一のマット基体領域２０と、
昆虫抑制剤、芳香剤、防臭剤、及びそれらの組み合わせから成る群から選択される有効成分を有する第二の揮発性物質２２を有し、前記第一の基体領域２０と一体化していない第二のマット基体領域１６とを含み、
前記第一のマット基体領域２０の前記第一の揮発性物質２４が、前記第二のマット基体領域１６の前記第二の揮発性物質２２よりも速い有効速度で放出され、
前記第一の揮発性物質２４の揮発の前記より速い気化速度を生じさせるために、前記第一及び第二のマット基体領域の物理的又は化学的特性が異なることを特徴とする、
前記マット。
【請求項２】
前記第一の領域が中央領域であって、前記第二の領域が前記中央領域の周囲の外側領域である、請求項１に記載のマット。
【請求項３】
前記第一の揮発性物質が前記第二の揮発性物質とは異なる、請求項１又は２に記載のマット。
【請求項４】
前記第二のマット基体領域の前記第二の揮発性物質よりも、前記第一のマット基体領域の前記第一の揮発性物質の揮発性が高い、請求項１ないし３に記載のマット。
【請求項５】
前記第一及び第二の領域が、厚み、熱伝導性、多孔率及びその組み合わせから成る群から選択される材料特性に関して異なる材料を含む、請求項１ないし４に記載のマット。
【請求項６】
前記第二の領域が貫通孔１８を有する平板１６の形状であり、前記第一の領域２０が前記孔に配置された金属箔カップ２０によって画定される、前記の請求項のいずれかに記載のマット。
【請求項７】
前記第二の領域がセルロース材料から形成される、請求項６に記載のマット。
【請求項８】
前記第二の領域が上側に凹部１８Ｄを有するセラミックの平板１６Ｄであって、前記第一の領域が前記凹部１８Ｄをライニングするセラミック釉薬２０Ｄによって画定される、請求項１から５のいずれかに記載のマット。
【請求項９】
前記第二の領域がセルロース材料のフレーム１６Ｅであって、前記第一の領域がへこんだ中央部を有する金属トレー２０Ｅである、請求項１から５のいずれかに記載のマット。
【請求項１０】
前記第一の揮発性物質中の前記有効成分がトランスフルスリンであり、前記第二の物質中の前記有効成分がピナミン・フォルテである、前記の請求項のいずれかに記載のマット。
【請求項１１】
揮発性蒸気を散布する方法であって、
ａ．請求項１に基づいてヒータ上にマットを配置することと、
ｂ．前記第一及び第二のマット基体領域１６、２０の双方を同時に加熱することによって、前記第二の基体領域１６から前記第二の揮発性物質２２中の前記有効成分が気化するよりも速い速度で、前記第一の揮発性物質２４中の前記有効成分を前記第一の基体領域２０から気化させること、
を含む、前記方法。
【国際調査報告】
2004507512.tif 000022
2004507512.tif 000023
2004507512.tif 000024
2004507512.tif 000025